(57)【特許請求の範囲】
【請求項１】
作業用手袋本体を構成する内側手袋部材及び外側手袋部材と、
前記内側手袋部材と前記外側手袋部材との間に位置する防水フィルムと、
前記外側手袋部材と前記防水フィルムとを貼り合わせる接着テープと、
前記接着テープと前記外側手袋部材との間に位置する浸水低減フィルムと、
を備える作業用手袋。
【請求項２】
前記浸水低減フィルムは、少なくとも各指部の内側先端部に位置する、請求項１記載の作業用手袋。
【請求項３】
前記外側手袋部材は、前記指部に縫い付けられた皮部を備え、
前記浸水低減フィルムは、前記皮部を縫い付ける際に、これとともに前記指部に縫い付けられている、請求項２記載の作業用手袋。
【請求項４】
前記防水フィルムは、前記内側手袋部材と一体化されている、請求項１記載の作業用手袋。
【発明の詳細な説明】
【技術分野】
【０００１】
本発明は、作業用手袋に関し、例えば、消防隊員及び消防団員が消防活動をする際に好適に用いることができる防水機能を有する作業用手袋に関する。
【背景技術】
【０００２】
特許文献１には、手袋内装部材と防水インナーと手袋外皮部材の各指先部分の止着を確実に行ない、同止着部分に良好な防水性と耐久性のある止着強度を確保する作業用手袋が開示されている。この作業用手袋は、手袋外皮部材と、手袋内装部材と、これらの間に介在される手袋形の防水インナーとを具備する手袋であって、防水インナーの各指先部の内面と外面とに各々縫着用テープを接着すると共に、内面側の縫着用テープに設けた突き出し部と、手袋内装部材の指先部内側との間、及び外面側の縫着用フープに設けた突き出し部と手袋外皮部材の指先部外側との間を各々に縫着し、手袋内装部材の引き出されるのを防止する。
【０００３】
【特許文献１】特開２００７−３２１３０８号公報
【発明の開示】
【発明が解決しようとする課題】
【０００４】
しかし、特許文献１に開示されている作業用手袋は、防水インナーの各指先部の内面と外面とに各々縫着用テープを接着しているが、この場合、実際に作業用手袋が水に触れるなどした場合に、その水が縫着用テープまで到達すると、縫着用テープの粘着性が低下して、防水インナーと手袋外皮部材又は手袋内装部材とが剥がれてしまうことがある。とりわけ、手袋外皮部材及び手袋内装部材における縫着用テープの貼付箇所が布である場合には、貼付面が粗いため粘着の維持も困難である。
【０００５】
一方、作業用手袋が水に触れる場合に、その水が縫着用テープまで到達することを完全に防止しようとすると、作業用手袋の構造が複雑になったり、作業用手袋の製造に手間がかかることで作業用手袋がコストアップしたりといった問題も生じ得る。
【０００６】
そこで、本発明は、作業用手袋が水に触れても、その水が縫着用テープまで到達しにくい作業用手袋の耐久性を向上させることを課題とする。
【課題を解決するための手段】
【０００７】
上記課題を解決するために、本発明の作業用手袋は、
作業用手袋本体を構成する内側手袋部材及び外側手袋部材と、
前記内側手袋部材と前記外側手袋部材との間に位置する防水フィルムと、
前記外側手袋部材と前記防水フィルムとを貼り合わせる接着テープと、
前記接着テープと前記外側手袋部材との間に位置する浸水低減フィルムと、
を備える。
【０００８】
すなわち、一例として示すと、本発明の作業用手袋は、
作業用手袋本体を構成する内側手袋部材及び外側手袋部材と、
前記外側手袋部材の少なくとも各指部の内側先端部に縫い付けられている浸水低減フィルムと、
前記内側手袋部材と前記外側手袋部材との間に位置する防水フィルムと、
前記浸水低減フィルムと前記防水フィルムとの間に貼付される接着テープと、
を備える。
【０００９】
本発明によると、浸水低減フィルムを設けることで、接着テープが浸水することを低減でき、また、浸水低減フィルムは、内側手袋部材及び外側手袋部材に比して、接着テープとの接着面が密であるため、接着テープと内側手袋部材及び外側手袋部材とが剥がれにくくなる。
【００１０】
前記外側手袋部材は、前記指部に縫い付けられた皮部を備え、前記浸水低減フィルムは、前記皮部とともに前記指部に縫い付けてもよい。また、前記防水フィルムは、前記内側手袋部材と一体化されていてもよい。
【発明の実施の形態】
【００１１】
以下、本発明の実施形態について、図面を参照して説明する。
【００１２】
図１は、本発明の実施形態の作業用手袋１００の掌側から見た概略図である。図２は、図１に示す作業用手袋１００を手の甲側から見た斜視図である。図３は、図１及び図２に示す作業用手袋１００の分解図である。図４は、図１等に示す外側手袋部材２０を裏返した状態の図である。
【００１３】
図１〜図４に示すように、本実施形態の作業用手袋１００は、以下説明する、内側手袋部材１０と、外側手袋部材２０と、浸水低減フィルム３０と、防水フィルム４０と、接着テープ５０とに大別される。
【００１４】
内側手袋部材１０は、作業用手袋の装着者の手に接する部材である。内側手袋部材１０は、これらに限定されるものではないが、保温性能に優れた起毛布帛材や、綿糸又は毛糸などからなるニット、毛皮等が好適に用いることができる。内側手袋部材１０は、０．５ｍｍ〜１．０ｍｍ程度、好ましくは、０．７ｍｍ〜０．８ｍｍ程度の厚さとすればよいが、これよりも薄くしてもよいし、厚くしてもよい。
【００１５】
図１，図２に示すように、外側手袋部材２０は、内側手袋部材１０の外側全体を覆う部材である。外側手袋部材２０は、布帛部２２と、布帛部２２の指部２４及び掌部２６に縫い付けられた皮部２８とを備える。
【００１６】
布帛部２２は、これらに限定されるものではないが、上記のようなニット、芳香族ポリアミド系樹脂などを含む合成樹脂などとすることができる。布帛部２２は、１．０ｍｍ〜４．０ｍｍ程度、好ましくは、１．２ｍｍ〜３．０ｍｍ程度の厚さとすればよいが、これよりも薄くしてもよいし、厚くしてもよい。また、布帛部２２に代えて天然又は人口の皮革などとすることもできる。
【００１７】
皮部２８は、これらに限定されるものではないが、合成皮革、人工皮革、天然皮革などとすることができる。皮部２８は、１．０ｍｍ〜４．０ｍｍ程度、好ましくは、１．２ｍｍ〜３．０ｍｍ程度の厚さとすればよいが、これよりも薄くしてもよいし、厚くしてもよい。
【００１８】
浸水低減フィルム３０は、作業用手袋１００が水に触れたときであっても、接着テープ５０が浸水すること低減するものである。また、浸水低減フィルム３０は、内側手袋部材１０及び外側手袋部材２０に比して、接着テープ５０との接着面が密であるため、これらの間に水が入り込むことを防止でき、接着テープ５０と内側手袋部材１０及び外側手袋部材２０とを剥がれにくくすることができる。
【００１９】
図４に示すように、浸水低減フィルム３０は、外側手袋部材２０の布帛部２２の少なくとも指部２４の内側先端部に位置させている。本実施形態では、浸水低減フィルム３０は、外側手袋部材２０に対して例えば縫い付けているが、これ以外の手法で取り付けてもよい。
【００２０】
当該縫い付けの場合には、余計な製造工程が増加することを回避するために、皮部２８を縫い付ける際に、これとともに浸水低減フィルム３０を指部２４等に縫い付けるとよい。浸水低減フィルム３０は、指部２４の略全体、更には、布帛部２２の略全体といった広範囲に縫い付けるようにしてもよい。
【００２１】
ここで重要なのは、浸水低減フィルム３０は、内側手袋部材１０及び外側手袋部材２０に比して、接着テープ５０との接着面が密であるため、接着テープ５０と内側手袋部材１０及び外側手袋部材２０とを剥がれにくくすることにあるので、浸水低減フィルム３０の位置は、必ずしも外側手袋部材２０の布帛部２２の少なくとも指部２４の内側先端部でなくともよく、接着テープ５０の位置に応じて決定すればよい。
【００２２】
もっとも、作業用手袋１００の開口部付近よりも、指部２４又はその付近とする方が、川上での対応となるので、内側手袋部材１０と外側手袋部材２０と防水フィルム４０との一体性の維持の点では好ましい。
【００２３】
浸水低減フィルム３０は、これらに限定されるものではないが、ナイロン、ポリエチレン、塩化ビニル、ニトリルゴムなどの各種人工ゴム又は天然ゴムとすることができる。そして、作業用手袋１００の装着者の作業性が低下しないように、いずれの材料を採用したとしても、０．０１〜０．０３ｍｍ程度の薄手のものとするとよい。
【００２４】
防水フィルム４０は、内側手袋部材１０を覆うことで、内側手袋部材１０が濡れることを回避するフィルムである。防水フィルム４０は、これらに限定されるものではないが、ナイロン、ポリエチレン、塩化ビニル、ニトリルゴムなどの各種人工ゴム又は天然ゴムとすることができる。防水フィルム４０は、内側手袋部材１０又は外側手袋部材２０に対して、いわゆる両面テープなどを用いて貼付すればよい。
【００２５】
或いは、防水フィルム４０は、内側手袋部材１０と一体化されていてもよい。すなわち、内側手袋部材１０に対して、防水フィルムをラミネート加工のように貼り付けてもよい。また、必要に応じて、内側手袋部材１０は、強度維持のために、縫製部分を熱接着テープなどで覆うこともできる。
【００２６】
図４に示すように、接着テープ５０は、浸水低減フィルム３０と防水フィルム４０とを接着するものである。接着テープ５０は、これに限定されるものではないが、両面テープを用いることができる。また、接着テープ５０は、防水機能を有するものを用いることができる。
【００２７】
図５は、図１等に示す作業用手袋１００の製造工程例を示す図である。なお、図５に示す製造工程は一例であって、これに限定されるものではない点に留意されたい。
【００２８】
図５（ａ）に示すように、本実施形態では、内側手袋部材１０に対して、両面テープなどを通じて防水フィルム４０を貼付する。もっとも、防水フィルム４０は、内側手袋部材１０と外側手袋部材２０との間に位置していればよいので、防水フィルム４０の貼付対象は、外側手袋部材２０側、具体的には、以下説明する、外側手袋部材２０に貼付された接着テープ５０とすることもできる。
【００２９】
図５（ｂ）に示すように、本実施形態では、外側手袋部材２０を作成する。具体的には、まず、外側手袋部材２０の少なくとも指部２４の内側先端部に対して、２枚重ね又は折り畳んで２重にした浸水低減フィルム３０を配置する。そして、その状態で布帛部２２の指部２４及び掌部２６に対して所望の糸などを用いて、皮部２８を縫い付ける。つづいて、所望の長さにカットされた接着テープ５０であるところの両面テープの一方の面の剥離紙を剥がして、各指部２４の少なくとも指部２４の内側先端部に浸水低減フィルム３０に貼付する。
【００３０】
図５（ｃ）に示すように、本実施形態では、図５（ａ）に示す内側手袋部材１０側と図５（ｂ）に示す外側手袋部材２０側とを貼り合わせる。これらの貼り合わせは、接着テープ５０であるところの両面テープの他方の面の剥離紙を剥がして、そこに、内側手袋部材１０を位置合わせした状態で、防水フィルム４０を接着テープ５０に貼付する。
【００３１】
図５（ｄ）に示すように、本実施形態では、その後に、図５（ｃ）に示す状態のものを、内側手袋部材１０を基準に内外裏返す。そうすると、それまでは防水フィルム４０で覆われた内側手袋部材１０とこれに貼付された状態で重ね合わされた外側手袋部材２０とが、外から内に向けて、外側手袋部材２０、防水フィルム４０、内側手袋部材１０といった順の構成となる。
【００３２】
図５（ｅ）に示すように、本実施形態では、防水フィルム４０の余剰分をカットして、既知のように、裾テープ、ベルト等を開口部に取り付けることで、図１等に示すような作業用手袋が完成する。
【図面の簡単な説明】
【００３３】
【図１】本発明の実施形態の作業用手袋１００の掌側から見た概略図である。
【図２】図１に示す作業用手袋１００を手の甲側から見た斜視図である。
【図３】図１及び図２に示す作業用手袋１００の分解図である。
【図４】図１等に示す外側手袋部材２０を裏返した状態の図である。
【図５】図１等に示す作業用手袋１００の製造工程例を示す図である。
【符号の説明】
【００３４】
１０  内側手袋部材
２０  外側手袋部材
２２  布帛部
２４  指部
２６  掌部
２８  皮部
３０  浸水低減フィルム
４０  防水フィルム
５０  接着テープ
１００  作業用手袋
【図１】
0006456811.tif 000002
【図２】
0006456811.tif 000003
【図３】
0006456811.tif 000004
【図４】
0006456811.tif 000005
【図５】
0006456811.tif 000006